(57)【特許請求の範囲】
【請求項１】
構成された不連続受信（ＤＲＸ）サイクルに従って動作するユーザ機器における方法であって、該ＤＲＸサイクルにおいて、該ユーザ機器は、該ＤＲＸサイクルの規定のＤＲＸオン継続時間の間に、物理的ダウンリンク制御チャネル（ＰＤＣＣＨ）を監視し、
該方法は、
アップリンク送信リソースの許可に対する要求をアクセスデバイスに送信することと、
該要求が送信された後で、ＳＰＳリソースの許可に関連する半永続的スケジューリング（ＳＰＳ）起動信号について該ＰＤＣＣＨを監視することと
を含み、
該監視することは、該規定のＤＲＸオン継続時間に先行する時間の間に発生する、方法。
【請求項２】
請求項１に記載の方法であって、前記構成されたＤＲＸサイクルは、前記ユーザ機器を該構成されたＤＲＸサイクルの残りの部分の間スリープさせ、
前記ＳＰＳ起動信号について前記ＰＤＣＣＨを監視することは、該構成されたＤＲＸサイクルに関わらず前記規定されたＤＲＸオン継続時間の前に発生する、方法。
【請求項３】
請求項１に記載の方法であって、前記アップリンク送信リソースの許可に対する要求を送信する動作は、前記規定されたＤＲＸオン継続時間の前に発生する、方法。
【請求項４】
請求項１に記載の方法であって、前記要求が送信されるまで、ＳＰＳ起動信号について前記ＰＤＣＣＨを検知することを中断することをさらに含む、方法。
【請求項５】
請求項１に記載の方法であって、前記要求を送信することは、前記構成されたＤＲＸサイクルの前記規定されたＤＲＸオン継続時間の前に前記アップリンク送信リソースの許可を要求するメッセージを前記アクセスデバイスに送信することを含む、方法。
【請求項６】
請求項１に記載の方法であって、前記監視することは、前記ＰＤＣＣＨを介して受信されたＳＰＳ起動信号を検知し、復号することを含む、方法。
【請求項７】
請求項１に記載の方法であって、前記監視することは、予め決められた時間量だけ前記構成されたＤＲＸオン継続時間に先行する、方法。
【請求項８】
請求項１に記載の方法であって、前記監視することは、前記規定のＤＲＸオン継続時間に関連する予め決められた継続時間に制限される、方法。
【請求項９】
請求項１に記載の方法であって、前記監視することは、前記アップリンク送信リソースが解放されるときに終了する、方法。
【請求項１０】
構成された不連続受信（ＤＲＸ）サイクルに従って動作するユーザ機器（ＵＥ）であって、該ＤＲＸサイクルにおいて、該ユーザ機器は、該ＤＲＸサイクルの規定のＤＲＸオン継続時間の間に、物理的ダウンリンク制御チャネル（ＰＤＣＣＨ）を監視し、
該ユーザ機器は、
アップリンク送信リソースの許可に対する要求をアクセスデバイスに送信するように構成されているプロセッサを備え、
該プロセッサは、該要求が送信された後で、かつ、規定のＤＲＸオン継続時間先行する時間の間に、ＳＰＳリソースの許可に関連する半永続的スケジューリング（ＳＰＳ）起動信号について該ＰＤＣＣＨを監視するようにさらに構成されている、ユーザ機器。
【請求項１１】
請求項１０に記載のユーザ機器であって、前記構成されたＤＲＸサイクルは、前記ユーザ機器を該構成されたＤＲＸサイクルの残りの部分の間スリープさせ、
前記プロセッサは、該構成されたＤＲＸサイクルに関わらず、該規定のＤＲＸオン継続時間の前に、前記ＳＰＳ起動信号について前記ＰＤＣＣＨを監視するようにさらに構成されている、ユーザ機器。
【請求項１２】
請求項１０に記載のユーザ機器であって、前記プロセッサは、前記アップリンク送信リソースの許可に対する要求を前記規定されたＤＲＸオン継続時間の前に送信するように構成されている、ユーザ機器。
【請求項１３】
請求項１０に記載のユーザ機器であって、前記プロセッサは、前記要求が送信されるまで、ＳＰＳ起動信号について前記ＰＤＣＣＨを検知することを中断するようにさらに構成されている、ユーザ機器。
【請求項１４】
請求項１０に記載のユーザ機器であって、前記要求を送信するように構成されているプロセッサは、該プロセッサが、前記構成されたＤＲＸサイクルの前記規定されたＤＲＸオン継続時間の前に前記アップリンク送信リソースの許可を要求するメッセージを前記アクセスデバイスに送信することを含む、ユーザ機器。
【請求項１５】
請求項１０に記載のユーザ機器であって、前記監視するように構成されているプロセッサは、該プロセッサが、前記ＰＤＣＣＨを介して受信されたＳＰＳ起動信号を検知し、復号するように構成されていることを含む、ユーザ機器。
【請求項１６】
請求項１５に記載のユーザ機器であって、検知することおよび復号することは、前記監視することの間のみ発生し、該監視することは、前記構成されたＤＲＸオン継続時間に少なくとも部分的に先行する、ユーザ機器。
【請求項１７】
請求項１６に記載のユーザ機器であって、前記監視することは、予め決められた時間量だけ前記構成されたＤＲＸオン継続時間に先行する、ユーザ機器。
【請求項１８】
請求項１６に記載のユーザ機器であって、前記監視することは、前記規定のＤＲＸオン継続時間に関連する予め決められた継続時間に制限される、ユーザ機器。
【請求項１９】
請求項１６に記載のユーザ機器であって、前記監視することは、前記アップリンク送信リソースが解放されるときに終了する、ユーザ機器。
【発明の詳細な説明】
【背景技術】
【０００１】
（背景）
本明細書で用いられた場合、「ユーザエージェント」および「ＵＡ」という用語は、携帯電話、パーソナルデジタルアシスタント、ハンドヘルドコンピューターまたはラップトップコンピューターおよび遠距離通信能力を有する類似のデバイスのようなワイヤレスデバイスを参照し得る。そのようなＵＡは、ワイヤレスデバイスと、その関連付けられた、Ｓｕｂｓｃｒｉｂｅｒ  Ｉｄｅｎｔｉｔｙ  Ｍｏｄｕｌｅ（ＳＩＭ）アプリケーション、Ｕｎｉｖｅｒｓａｌ  Ｓｕｂｓｃｒｉｂｅｒ  Ｉｄｅｎｔｉｔｙ  Ｍｏｄｕｌｅ（ＵＳＩＭ）アプリケーション、またはＲｅｍｏｖａｂｌｅ  Ｕｓｅｒ  Ｉｄｅｎｔｉｔｙ  Ｍｏｄｕｌｅ（Ｒ−ＵＩＭ）アプリケーションを含むＵｎｉｖｅｒｓａｌ  Ｉｎｔｅｇｒａｔｅｄ  Ｃｉｒｃｕｉｔ  Ｃａｒｄ（ＵＩＣＣ）から構成され得るか、あるいはそのようなカードのないデバイス自体から構成され得る。「ＵＡ」という用語は、また、類似のワイヤレス能力を有するが、移動可能でないデバイス（例えば、電話、デスクトップコンピューター、セットトップボックスまたはネットワークノード）を参照し得る。ＵＡがネットワークノードの場合、ネットワークノードは、ワイヤレスデバイスのような他の機能を代理して機能し得、ワイヤレスデバイスをシミュレートまたはエミュレートし得る。例えば、いくつかのワイヤレスデバイスに対して、デバイスに典型的には常駐するＩＰ（インターネットプロトコル）マルチメディアサブシステム（ＩＭＳ）セッション開始プロトコル（ＳＩＰ）クライアントは、実際はネットワークに常駐し、最適化されたプロトコルを用いて、ＳＩＰメッセージ情報をデバイスに伝える。言い換えると、ワイヤレスデバイスにより伝統的に実行されたいくつかの機能は、リモートＵＡの形態に分散され得る。ここで、リモートＵＡは、ネットワークのワイヤレスデバイスを表す。「ＵＡ」という用語は、また、ＳＩＰセッションを終了させ得る任意のハードウェアまたはソフトウェアコンポーネントを参照し得る。
【０００２】
伝統的なワイヤレス遠距離通信システムにおいて、ベースステーションの送信機器は、セルとして公知の地理的な範囲を全体に信号を送信する。テクノロジーが発展したため、以前は可能でなかったサービスを提供し得る、より進んだネットワークアクセス機器が導入された。この進んだネットワークアクセス機器は、例えば、ベースステーションまたは伝統的なワイヤレス遠距離通信システムにおける均等な機器よりも高度に発展した他のシステムおよびデバイスではなく、強化型ノードＢ（ｅＮＢ）を含み得る。そのような進んだ機器または次世代の機器は、本明細書では、ロングタームエボリューション（ＬＴＥ）機器と呼ばれ得る。そのような機器を用いるパケットに基づいたネットワークは、ｅｖｏｌｖｅｄ  ｐａｃｋｅｔ  ｓｙｓｔｅｍ（ＥＰＳ）と呼ばれ得る。本明細書で用いられた場合、「アクセスデバイス」という用語は、ＵＡに遠距離通信システムの他のコンポーネントへのアクセスを提供し得る伝統的なベースステーションまたはＬＴＥ  ｅＮＢのような任意のコンポーネントを参照する。
【０００３】
パケットデータに対して、ＵＡとアクセスデバイスとの間でデータを搬送する信号は、固有のセットの周波数、時間およびコードパラメータならびにアクセスデバイスにより指定され得る他の特徴を有し得る。ＵＡとそのような特徴の固有のセットを有するアクセスデバイスとの間の接続はリソースと呼ばれ得る。アクセスデバイスは、任意の特定の時間にコミュニケーションが取られる各ＵＡに対して異なるリソースを典型的には確立する。
【発明の概要】
【課題を解決するための手段】
【０００４】
本開示の１つ以上の実施形態の例示的インプリメンテーションが下記に提供されるが、開示されるシステムおよび／または方法は、現在公知または存在しているかにかかわらず、任意の数の技術を用いてインプリメントされ得ることは最初に理解されるべきである。本開示は、本明細書で描写および説明される例示的デザインおよびインプリメンテーションを含む下記で描写される例示的インプリメンテーション、図面および技術に限定されるべきではなく、添付の特許請求の範囲およびその均等物の範囲内で改変され得る。
【０００５】
ＵＡとアクセスデバイスとの間の音声セッションの間、トークスパートはサイレンス期間と交互になり得る。トークスパートが終わり、サイレンス期間がアップリンクで始まると、ＵＡは、典型的には、ＵＡが用いていたアップリンクリソースにおいて送信を停止する。ダウンリンク上では、ＵＡは、典型的には、ＵＡが割り当てられていたダウンリンクリソースにおいて、受信を停止する。ＵＡがアップリンクリソースで送信を停止すると、次いで、アクセスデバイスは、別のＵＡにリソースを許可し得る。リソースの解放は、ＵＡまたはアクセスデバイスにより開始され得る。サイレンス期間が終わり、新たなトークスパートがアップリンク上で始まるとき、ＵＡは、アクセスデバイスが、データパケットの送信を再開するための新たなアップリンクリソースをＵＡに許可することを要求し得る。ダウンリンク上では、アクセスデバイスは、ＵＡに、データパケットの受信を再開するための新たなダウンリンクリソースを許可する。
【０００６】
半永続的スケジューリング（ＳＰＳ）または構成スケジューリングとして公知の処理において、データパケットに対するリソースが許可され、次いで、実質的に同じリソースが、続くデータパケットに対して繰り返し用いられる。つまり、半永続的スケジューリングにおいて、アクセスデバイスがデータパケットに対してアップリンクまたはダウンリンク上で提供するリソースが、許可および／または単一のスケジューリング要求に基づいたさまざまなインターバルで割り当てられる。ＳＰＳリソースの元の許可は、ＳＰＳ起動と呼ばれ得る。続いて、アクセスデバイスがＳＰＳリソースを異なるパラメータに再割り当てする必要がある場合、続く許可はＳＰＳ再構成と呼ばれ得る。
【０００７】
アクセスデバイスは、ＳＰＳ起動（または再構成）信号を物理的ダウンリンク制御チャネル（ＰＤＣＣＨ）を介してＵＡに送ることにより、アップリンクまたはダウンリンクリソースをＵＡに典型的には許可する。ＵＡがＰＤＣＣＨに耳を傾け、ＰＤＣＣＨ上で受信したデータを復号することを試みる時間の期間は、起動時間（ＴＳ  ３６．３２１）と呼ばれ得る。ＳＰＳ起動／再構成信号は、起動時間中にＵＡが典型的には聞き求め、復号しようと試みるデータの一部のみであり得る。ＵＡが起動時間にないとき、ＵＡはアクセスデバイスからデータを受信しない場合がある。
【０００８】
不連続受信（ＤＲＸ）オン継続時間として公知の時間の期間は、ＵＡがＰＤＣＣＨを監視する目的で起動する周期的な継続時間として定義され得る。ＤＲＸオン継続時間の長さは、オン継続タイマーにより制御される。ＤＲＸサイクルは、起こり得る不活動（つまりＤＲＸオフ継続時間）の期間に先行するＤＲＸオン継続時間の周期的な繰り返しである。ＤＲＸサイクルは、ミリセコンドのような複数の送信時間インターバル（ＴＴＩｓ）の間、継続すると定義され得、ＤＲＸオン継続時間は、ＤＲＸサイクルの一部として定義され得る。他の活動が進行中でない場合、ＵＡはＤＲＸサイクルの一部の間、ＰＤＣＣＨを監視するために周期的に起動し、次いで、ＤＲＸサイクルの残りの部分の間はスリープする。ＤＲＸオン継続時間中、ＵＡはＳＰＳアップリンクリソースに割り当てられ得る。
【０００９】
例えば、アップリンク割り当てに対して、ＵＥは、時間ウィンドウ（本明細書ではＳＰＳ起動ウィンドウと呼ばれる）内でＰＤＣＣＨを介して送信されたＳＰＳ起動／再構成信号を検知および復号（または処理）し得る。時間ウィンドウは、少なくとも部分的にはＤＲＸオン継続時間と重複し得る。ＳＰＳ起動／再構成信号は、起動または再構成されたアップリンクリソースを用いた実際のアップリンク送信の前に検知および復号される。例えば、ＳＰＳ起動／再構成信号の伝送とアップリンク送信の間の約４ＴＴＩまたはミリセコンドに等しくあり得るいくらかの時間量または時間遅延が典型的にはある。したがって、ＳＰＳ起動ウィンドウはＤＲＸオン継続時間中のＳＰＳアップリンク許可の割り当てを確実にするために、適切な調整を要求し得る。ＳＰＳ起動ウィンドウの一部はＳＰＳ起動／再構成信号を検知および復号する時間遅延の分、ＤＲＸオン継続時間に先行し得る。そのため、ＳＰＳ起動ウィンドウの開始は、ＤＲＸオン継続時間の開始に先行し得る。１つの実施形態において、ＳＰＳ起動ウィンドウの終了は、ＤＲＸオン継続時間の終了に、ＳＰＳ起動ウィンドウの開始とＤＲＸオン継続時間の開始の間と同じ時間遅延だけ先行し得る。そのため、ＳＰＳ起動／再構成信号は、ＤＲＸオン継続時間内に割り当てられるアップリンク許可を認めるために検知および複合され得る。
【００１０】
さらに、ＰＤＣＣＨは、アップリンクリソースが許可されているＵＡを指定するセルラジオネットワーク一時識別子（ＣＲＮＴＩ）、ＳＰＳ  ＲＮＴＩまたは類似の識別子を含み得る。ＰＤＣＣＨペイロードの１つがＵＡにアドレスされた識別子を含むかどうか決定するために、起動時間を通して、ＵＡは典型的には、ＰＤＣＣＨペイロードを監視または解読する。本明細書で用いられる場合、「ペイロード」という用語は、任意のフォーマットされたメッセージを参照し得る。ＵＡがＵＡの識別子を有するＰＤＣＣＨペイロードを解読するとき、ＵＡは、ＰＤＣＣＨペイロードにおいて提供されたリソース割り当てが、そのＵＡに対してのものだということを認知している。いくつかのケースにおいて、ＵＡは、そのＵＡにアドレスされたものではなく、そのＵＡに誤って関するものだと識別された識別子を受信し得る。次いで、ＵＡは、ＵＡが割り当てられたものと誤って想定するリソース上でデータを送信しようと試み得る。そのような間違ったアラームまたは間違った検知は、ＵＡのコンピューター容量およびバッテリーパワーを浪費し得、また追加のアップリンク混信を生じさせる。
【００１１】
実施形態において、そのような間違ったアラームの周波数または比率が、ＳＰＳ起動ウィンドウの長さを制限することにより減少または制限され得る。例えば、ＳＰＳ起動ウィンドウはＤＲＸオン継続時間とほぼ等しくあり得る。したがって、アップリンク許可割り当て時間は、ＤＲＸオン継続時間の開始とＤＲＸオン継続時間の終了の間に制限され得る。いくつかの実施形態において、ＵＡに割り当てられたアップリンクリソースが解放されたとき、ＵＡは、ＳＰＳ起動／再構成信号を検知および処理を試みることを停止し得る。いくつかの実施形態において、アクセスデバイスがアップリンクリソースをＵＡに許可することを要求するメッセージをアクセスデバイスに送ったあとに初めて、ＳＰＳ起動／再構成信号を検知および処理をＵＡが試みることを始め得る。
【００１２】
本開示のより完全な理解のために、ここで添付の図面および詳細な説明に関連して、以下の簡単な説明を参照する。類似の参照番号は類似のパーツを表す。
例えば、本発明は以下の項目を提供する。
（項目１）  ユーザエージェント（ＵＡ）に対するアップリンク許可の検知のための方法であって、該方法は、
半永続的スケジューリング（ＳＰＳ）起動／再構成信号を、該ＳＰＳ起動ウィンドウの間だけ物理的ダウンリンク制御チャネル（ＰＤＣＣＨ）を介して検知することを含み、該ＳＰＳ起動ウィンドウは、予め決められた時間量だけ、不連続受信（ＤＲＸ）オン継続時間に先行する、方法。
（項目２）  項目１の方法であって、前記ＳＰＳ起動／再構成信号は、前記ＳＰＳ起動ウィンドウの間に検知される、方法。
（項目３）  項目１の方法であって、前記予め決められた時間量は、約４の時間送信インターバル（ＴＴＩ）または４ミリセコンドに等しい、方法。
（項目４）  項目１の方法であって、前記予め決められた時間量は、前記ＳＰＳ起動／再構成信号を復号するのに十分な長さである、方法。
（項目５）  項目１の方法であって、前記ＳＰＳ起動ウィンドウの長さは、前記オン継続時間の長さにほぼ等しい、方法。
（項目６）  ユーザエージェント（ＵＡ）に対するアップリンク許可の方法であって、該方法は、
半永続的スケジューリング（ＳＰＳ）起動／再構成信号を、該ＳＰＳ起動ウィンドウの間だけ物理的ダウンリンク制御チャネル（ＰＤＣＣＨ）を介して送信することを含み、該ＳＰＳ起動ウィンドウは、予め決められた時間量だけ、不連続受信（ＤＲＸ）オン継続時間に先行する、方法。
（項目７）  項目６の方法であって、前記ＳＰＳ起動／再構成信号は、該ＳＰＳ起動ウィンドウの間に検知される、方法。
（項目８）  項目６の方法であって、前記予め決められた時間量は、約４の時間送信インターバル（ＴＴＩ）または４ミリセコンドに等しい、方法。
（項目９）  項目６の方法であって、前記予め決められた時間量は、前記ＳＰＳ起動／再構成信号を復号するために十分な時間量として定義される、方法。
（項目１０）  項目６の方法であって、前記ＳＰＳ起動ウィンドウの長さは、前記オン継続時間の長さにほぼ等しい、方法。
（項目１１）  ユーザエージェント（ＵＡ）であって、該ＵＡは、
半永続的スケジューリング（ＳＰＳ）起動／再構成信号の検知を、該ＳＰＳ起動ウィンドウの間だけ物理的ダウンリンク制御チャネル（ＰＤＣＣＨ）を介して促進するように構成されているプロセッサを含み、該ＳＰＳ起動ウィンドウは、予め決められた時間量だけ、不連続受信（ＤＲＸ）オン継続時間に先行する、ＵＡ。
（項目１２）  項目１１のＵＡであって、前記ＳＰＳ起動／再構成信号は、該ＳＰＳ起動ウィンドウの間に検知される、ＵＡ。
（項目１３）  項目１１のＵＡであって、前記予め決められた時間量は、約４時間送信インターバル（ＴＴＩ）またはミリセコンドに等しい、ＵＡ。
（項目１４）  項目１１のＵＡであって、前記予め決められた時間量は、前記ＳＰＳ起動／再構成信号を復号するのに十分な長さである、ＵＡ。
（項目１５）  項目１１のＵＡであって、前記ＳＰＳ起動ウィンドウの長さは、前記オン継続時間の長さにほぼ等しい、ＵＡ。
（項目１６）  アクセス機器であって、該アクセス機器は、
半永続的スケジューリング（ＳＰＳ）起動／再構成信号のユーザエージェント（ＵＡ）へ、該ＳＰＳ起動ウィンドウの間だけ物理的ダウンリンク制御チャネル（ＰＤＣＣＨ）を介して送信を促進するように構成されているプロセッサを含み、該ＳＰＳ起動ウィンドウは、予め決められた時間量だけ、ＵＡの不連続受信（ＤＲＸ）オン継続時間に先行する、アクセス機器。
（項目１７）  項目１６のアクセス機器であって、前記ＳＰＳ起動／再構成信号は、該ＳＰＳ起動ウィンドウの間に送信される、アクセス機器。
（項目１８）  項目１６のアクセス機器であって、前記予め決められた時間量は、約４の時間送信インターバル（ＴＴＩ）またはミリセコンドに等しい、アクセス機器。
（項目１９）  項目１６のアクセス機器であって、前記予め決められた時間量は、前記ＳＰＳ起動／再構成信号を復号するために十分な時間量として定義される、アクセス機器。
（項目２０）  項目１６のアクセス機器であって、前記ＳＰＳ起動ウィンドウの長さは、前記オン継続時間の長さにほぼ等しい、アクセス機器。
【図面の簡単な説明】
【００１３】
【図１】図１は、不連続受信オン継続時間を有するアップリンク半永続的スケジューリング起動ウィンドウ調整の説明図である。
【図２】図２は、複数のアップリンク半永続的スケジューリング起動／再構成信号検知時間の説明図である。
【図３】図３は、本開示の実施形態に従って、半永続的スケジューリング起動／再起動における信頼性を改善する方法のダイヤグラムである。
【図４】図４は、本開示のさまざまな実施形態のいくつかに対して操作可能なユーザエージェントを含むワイヤレスコミュニケーションシステムのダイヤグラムである。
【図５】図５は、本開示のさまざまな実施形態のいくつかに対して適切な例示的汎用コンピューターシステムである。
【発明を実施するための形態】
【００１４】
図１は、ＤＲＸオン継続時間を有するアップリンクＳＰＳ起動ウィンドウ調整の実施形態を描写している。図に示されるように、ＳＰＳ起動ウィンドウ１１０の長さは、ＤＲＸオン継続時間１２０の長さにほぼ等しくあり得る。１つの実施形態において、ＳＰＳ起動ウィンドウ１１０の長さおよびＤＲＸオン継続時間１２０の類似の長さは約８ＴＴＩまたは８ミリセコンドに等しくあり得る。さらに、ＳＰＳ起動ウィンドウの開始は、ＤＲＸオン継続時間の開始に、十分な時間量先行するように調整され得、十分な時間量とは、ＵＡがＳＰＳ起動／再構成信号を検知および復号し、そのため、ＤＲＸオン継続時間内に割り当てられたアップリンク許可を用いて送信できる残りの時間をＵＡに認める、時間量である。例えば、ＳＰＳ起動／再構成信号は、ＳＰＳ起動／再構成信号を検知および復号するのに必要であり得る時間遅延を導入するオン継続時間の約４ＴＴＩまたは４ミリセコンド前に調整され得る。したがって、ＳＰＳ起動／再構成信号は、ＤＲＸオン継続時間の約４ミリセコンド前に開始および終了し得る。そのため、アップリンク許可の実際の割り当ては、ＤＲＸオン継続時間中に生じる。当業者は、時間遅延がシステム固有であり、本明細書で提供された数は例示的目的のみであることを認める。
【００１５】
図２は、複数のアップリンクＳＰＳ起動／再構成信号検知時間の実施形態を描写している。実施形態において、ＤＲＸがインプリメントされたとき、各ＤＲＸオン継続時間１２０に、ほぼ同じ時間量（例えば、４ＴＴＩ）だけ先行するＳＰＳ起動ウィンドウ１１０内に、アクセスデバイスは、ＰＤＣＣＨを介して、アップリンクＳＰＳ起動／再構成信号を送信し得る。これは、典型的には、起動に対してトークスパートの最初または再構成に対してトークスパート中に行われる。アクセスデバイスは、ＳＰＳ起動ウィンドウ１１０の間、ＳＰＳ起動／再構成信号を送信するため、ＵＡはＳＰＳ起動ウィンドウ１１０外でＳＰＳ起動／再構成信号を検知しようと試みる必要はない。ＳＰＳ起動ウィンドウ１１０のみに対するＳＰＳ起動／再構成信号の検知時間を制限することにより、ＳＰＳ起動に対する間違ったアラームの確率を減少し得る。そうでなければ、ＵＡがＳＰＳ起動／再構成信号を時間制限なしまたはより長い時間ウィンドウ中に検知する場合、ＵＡは、割り当てられている、より多くのリソースを誤って識別し得、データを送信するためにそのリソースを用い得る。結果として、間違ったアラームの量は増加し得、ＵＡはバッテリーパワーを浪費し得る。さらに、このＳＰＳ割り当ての間違った検知は、システムの追加の混信を生じさせ得る。
【００１６】
図３は、アップリンク起動処理中のＵＡに対する識別子の検知の信頼性を改善する方法４００の実施形態を描写している。ブロック４１０において、ＵＡは、ＳＰＳ起動ウィンドウの間だけアップリンクＳＰＳ起動／再構成信号を復号しようと試みる。この実施形態において、ＳＰＳ起動ウィンドウの開始は、ＤＲＸオン継続時間の開始に、例えば４ミリセコンド（またはＴＴＩ）の事前に定められた時間の遅延だけ先行し得る。いくつかのケースにおいて、ＵＡは、ＵＡがアクセスデバイスとコミュニケーションするために用いているリソースが解放されたとき、アップリンクＳＰＳ起動／再構成信号の解読を試みることを停止し得る。いくつかのケースにおいて、ＵＡは、ＵＡがアクセスデバイスにバッファ状況報告または音声パケットを送るとき、アップリンクＳＰＳ起動／再構成信号の解読を試みることを開始し得る。
【００１７】
図４は、ＵＡ５１０の実施形態を含むワイヤレスコミュニケーションシステムを描写している。ＵＡ５１０は、本開示の側面をインプリメントするために作動可能であるが、本開示はこれらのインプリメンテーションに限定されるべきでない。携帯電話として描写されるが、ＵＡ５１０は、ワイヤレスハンドセット、ポケットベル、パーソナルデジタルアシスタント（ＰＤＡ）、ポータブルコンピューター、タブレットコンピューターまたはラップトップコンピューターを含むさまざまな形態を取り得る。多くの適切なデバイスは、これらの機能のいくつかまたは全てを結合する。本開示のいくつかの実施形態において、ＵＡ５１０は、ポータブルコンピューター、ラップトップコンピューターまたはタブレットコンピューターのような汎用コンピューターデバイスではなく、むしろ携帯電話、ワイヤレスハンドセット、ポケットベル、ＰＤＡまたは乗り物にインストールされた遠距離通信デバイスのような特定目的コミュニケーションデバイスである。別の実施形態において、ＵＡ５１０は、ポータブルコンピューターデバイス、ラップトップコンピューターデバイスまたは他のコンピューターデバイスであり得る。ＵＡ５１０は、また、固定電話、デスクトップコンピューター、セットトップボックスまたはネットワークノードのような類似の能力を有するが、運送可能ではないデバイスであり得、そのようなデバイスを含むか、またはそのようなデバイスに含まれ得る。ＵＡ５１０は、ゲーム、在庫管理、ジョブ制御および／またはタスク管理機能などのような特定の活動をサポートし得る。
【００１８】
ＵＡ５１０はディスプレイ５０２を含む。ＵＡ５１０は、また、全般的に５０４と呼ばれる、ユーザによる入力のためのタッチセンサー表面、キーボードまたは他の入力キーを含む。ＵＡ５１０による実行可能なさまざまな用途の中に、ディスプレイ５０２がウェブページを示すことを可能にするウェブブラウザがある。ウェブページはワイヤレスネットワークアクセスノード、セルタワー、ピアＵＡ５１０または任意の他のワイヤレスコミュニケーションネットワークまたはシステム５００を有するワイヤレスコミュニケーションを介して得られ得る。ネットワーク５００はインターネットのような接続されたネットワーク５０８に連結される。ワイヤレスリンクおよび接続されたネットワークを介して、ＵＡ５１０はサーバー５２０のようなさまざまなサーバー上の情報へのアクセスを有する。サーバー５２０は、ディスプレイ５０２に示され得る内容を提供し得る。あるいは、ＵＡ５１０は、接続のリレータイプまたはホップタイプにおいて仲介者の役割をするピアＵＡ５１０を通してネットワーク５００にアクセスし得る。
【００１９】
ＵＡ５１０および上記で説明された他のコンポーネントは、上記で説明された行動に関する命令を実行することが可能な処理コンポーネントを含み得る。図５は、本明細書で開示される１つ以上の実施形態をインプリメントするのに適切な処理コンポーネント６１０を含むシステム６００の例を描写する。プロセッサ６１０（中央処理装置またはＣＰＵと呼ばれ得る）に加えて、システム６００は、ネットワークコネクティビティデバイス６２０、ランダムアクセスメモリ（ＲＡＭ）６３０、リードオンリーメモリ（ＲＯＭ）６４０
、二次メモリ６５０および入力／出力（Ｉ／Ｏ）デバイス６６０を含み得る。これらのコンポーネントは、バス６７０を介して互いにコミュニケーションをとり得る。いくつかのケースにおいて、これらのコンポーネントのいくつかは、存在しない場合があり、互いまたは示されていない他のコンポーネントとさまざまな組み合わせで結合され得る。これらのコンポーネントは、単一の物理的物体または１つより多くの物理的物体に配置され得る。本明細書で説明された、プロセッサ６１０により取られる任意の行動は、プロセッサ６１０単体またはデジタル信号プロセッサ（ＤＳＰ）のような図面に示されるまたは示されていない１つ以上のコンポーネントと一緒にプロセッサ６１０により取られ得る。
【００２０】
プロセッサ６１０は、ネットワークコネクティビティデバイス６２０、ＲＡＭ６３０、ＲＯＭ６４０または二次メモリ６５０（ハードディスク、フロッピーディスクまたは光学ディスクのようなさまざまなディスクを基にしたシステムを含み得る）からアクセスし得る命令、コード、コンピュータープログラムまたはスクリプトを実行する。１つだけＣＰＵ６１０が示される一方で、複数のプロセッサが存在し得る。そのため、命令はプロセッサにより実行されるものとして議論され得る一方で、命令は、同時に、連続的にまたはそうでなければ１つまたは複数のプロセッサにより実行され得る。プロセッサ６１０は１つ以上のＣＰＵチップとしてインプリメントされ得る。
【００２１】
ネットワークコネクティビティデバイス６２０は、モデム、モデムバンク、イーサーネットデバイス、ユニバーサルシリアルバス（ＵＳＢ）インターフェイスデバイス、シリアルインターフェイス、トークンリングデバイス、ファイバー分散データインターフェイス（ＦＤＤＩ）デバイス、ワイヤレスローカルエリアネットワーク（ＷＬＡＮ）デバイス、符号分割多元接続（ＣＤＭＡ）デバイスのようなラジオトランシーバーデバイス、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭＡＸ）デバイスおよび／またはネットワークに接続するための他の公知のデバイスの形態を取り得る。これらのネットワークコネクティビティデバイス６２０は、プロセッサ６１０が情報を受信し得るか、またはプロセッサ６１０が情報を出力し得るインターネットまたは１つ以上の遠距離通信ネットワークまたは他のネットワークにプロセッサ６１０がコミュニケーションすることを可能にし得る。ネットワークコネクティビティデバイス６２０は、また、データをワイヤレスで送信および／または受信可能な１つ以上のトランシーバーコンポーネント６２５を含み得る。
【００２２】
ＲＡＭ６３０は、揮発性のデータを格納し、プロセッサ６１０により実行される命令を恐らく格納するために用いられ得る。ＲＯＭ６４０は、二次メモリ６５０のメモリ容量より小さなメモリ容量を典型的には有する非揮発性メモリデバイスである。ＲＯＭ６４０は、命令および命令の実行の間に読まれるデータを恐らく格納するために用いられ得る。ＲＡＭ６３０とＲＯＭ６４０の両方へのアクセスは、二次メモリ６５０へよりは典型的には速い。二次メモリ６５０は、１つ以上のディスクドライブまたテープドライブから典型的には構成され、ＲＡＭ６３０が全てのワーキングデータを収容する程十分な大きさでない場合、データの非揮発性格納のため、またはオーバーフローデータ格納デバイスとして用いられ得る。二次メモリ６５０は、プログラムが実行のために選択されたとき、ＲＡＭ６３０にロードされるそのようなプログラムを格納するために用いられ得る。
【００２３】
Ｉ／Ｏデバイス６６０は、液晶ディスプレイ（ＬＣＤ）、タッチスクリーンディスプレイ、キーボード、キーパッド、スイッチ、ダイアル、マウス、トラックボール、音声認識器、カードリーダー、紙テープリーダー、プリンター、ビデオモニターまたは他の公知の入力または出力デバイスを含み得る。また、トランシーバー６２５は、ネットワークコネクティビティデバイス６２０のコンポーネントである代わりか、またはそれに加えてＩ／Ｏデバイス６６０のコンポーネントであると考えられ得る。Ｉ／Ｏデバイス６６０のいくつか、または全ては、ディスプレイ５０２および入力５０４のような先に説明したＵＡ５１０の図面で描写されたさまざまなコンポーネントに実質的に類似し得る。
【００２４】
以下の３ｒｄ  Ｇｅｎｅｒａｔｉｏｎ  Ｐａｒｔｎｅｒｓｈｉｐ  Ｐｒｏｊｅｃｔ（３ＧＰＰ）技術仕様書（ＴＳ）は、本明細書で参照することにより組み込まれている：ＴＳ  ３６．３２１．
１つの実施形態に従って、ＵＡに対するアップリンク許可の検知の方法。方法は、ＳＰＳ起動ウィンドウの間だけＰＤＣＣＨを介してＳＰＳ起動／再構成信号を検知することを含み、ＳＰＳ起動ウィンドウは、予め決められた時間量だけ、ＤＲＸオン継続時間に先行する。
【００２５】
別の実施形態において、ＵＡに対するアップリンク許可の検知のために方法が提供される。方法は、ＳＰＳ起動ウィンドウの間だけＰＤＣＣＨを介してＳＰＳ起動／再構成信号を送信することを含み、ＳＰＳ起動ウィンドウは、予め決められた時間量だけ、ＤＲＸオン継続時間に先行する。
【００２６】
別の実施形態において、ユーザエージェントが提供される。ユーザエージェントは、ＳＰＳ起動ウィンドウの間だけＰＤＣＣＨを介してＳＰＳ起動／再構成信号を検知するように構成されているコンポーネントを含み、ＳＰＳ起動ウィンドウは、予め決められた時間量だけ、ＤＲＸオン継続時間に先行する。
【００２７】
別の実施形態において、アクセス機器が提供される。アクセス機器は、ＳＰＳ起動ウィンドウの間だけＰＤＣＣＨを介してＳＰＳ起動／再構成信号を送信するように構成されているコンポーネントを含み、ＳＰＳ起動ウィンドウは、予め決められた時間量だけ、ＤＲＸオン継続時間に先行する。
【００２８】
いくつかの実施形態が本開示において提供された一方で、開示されたシステムおよび方法は、本開示の精神または範囲を逸脱することなしに、多くの他の特定の形態において実施され得ることは理解されるべきである。本例は、例示的であって制限的ではないものとして考えられ、意図は本明細書で与えられた詳細に限定するものではない。例えば、さまざまな要素またはコンポーネントが他のシステムにおいて結合または統合され得るか、またはある特徴が省略され得るか、またはインプリメントされない場合がある。
【００２９】
また、別々または別個のさまざまな実施形態において説明および描写された技術、システム、サブシステムおよび方法は、本開示の範囲を逸脱することなしに、他のシステム、モジュール、技術または方法に結合または統合され得る。互いに連結または直接連結またはコミュニケーションするものとして示されるか、または議論された他の項目は、電気的、機械的またはその他にかかわらず、あるインターフェイス、デバイスまたは中間コンポーネントを通して、間接的に連結またはコミュニケーションをとり得る。変化、代用および交替の他の例が、当業者により確認可能であり、本明細書で開示された精神および範囲を逸脱することなしになされ得る。
【図１】
0005474085.tif 000002
【図２】
0005474085.tif 000003
【図３】
0005474085.tif 000004
【図４】
0005474085.tif 000005
【図５】
0005474085.tif 000006